(57)【要約】【課題】  回転ドアと同様に風除効果を維持しつつ、通行者の安全性を向上させる。【解決手段】  建物２の前面に設置されるブース６内にそれぞれ形成された通路１０とパネル収納路１２を平面パネル１４ａ、１４ｂが循環する。このとき、平面パネル１４ａ、１４ｂは、通路１０を非連通状態とする。平面パネル１４ａ、１４ｂが、通路１０とパネル収容路１２とを平行スライド移動し、通路１０とパネル収納路１２との端部において一方から他方に横スライド移動して、スクエア状に循環移動する。【選択図】        図１
2007332621.tif 000002
【特許請求の範囲】
【請求項１】
建物の前面に設置されるブース内にそれぞれ形成された通路とパネル収納路を循環して、前記通路を非連通状態とするように移動する複数の平面パネルを備え、前記平面パネルが、前記通路と前記パネル収容路とを平行スライド移動し、前記通路と前記パネル収納路との端部において一方から他方に横スライド移動して、スクエア状に循環移動するように構成されている、出入り口装置。
【請求項２】
請求項１記載の出入り口装置において、前記パネル収納路を前記ブース内外を連絡する別通路とし、この通路端に開閉自在なドアを設置した出入り口装置。
【請求項３】
請求項２記載の出入り口装置において、前記通路から上記パネル収納路へ連絡する開口を設け、この開口にドアを設けた出入り口装置。
【請求項４】
請求項２または３記載の出入り口装置において、前記平面パネルが、前記通路及び前記パネル収納路内に向かってスイング自在に構成されている出入り口装置。
【発明の詳細な説明】
【技術分野】
【０００１】
本発明は、建物から人が出入りするための出入口装置に関し、特に出入口装置が備えるパネルが自動的に移動するものに関する。
【背景技術】
【０００２】
出入口装置の一例が、特許文献１に開示されている。特許文献１に開示されている出入口装置は、回転ドア装置と称されるもので、平面形状が長円型に形成されたブースが建物の前面に設けられ、このブース内には、長円リング状の移動空間が形成されている。この移動空間内に配置された複数のパネルが、移動空間に沿って移動する。
【０００３】
【特許文献１】特開２００２−２８５７５４号公報
【発明の開示】
【発明が解決しようとする課題】
【０００４】
この回転ドア装置には、建物の内外を通行者が通行しても、建物内に風が吹き込むことを防止できる風除効果があり、多くの通行者を同時に通行させることができるという効果もある。しかし、複数のパネルが連続的に回転しているので、通行者が回転するパネルの動きを予測することが難しく、接近してくるパネルに通行者が衝突したり、回転するパネルと出入口の方立との間に通行者が挟まれたりする虞があった。
【０００５】
本発明は、回転ドアと同様に風除効果を維持し、かつ通行者の安全性を向上させた出入口装置を提供することを目的とする。
【課題を解決するための手段】
【０００６】
本発明の一態様の出入り口装置は、複数の平面パネルを備えている。建物の前面に設置されるブース内にそれぞれ通路とパネル収納路が形成されている。通路とパネル収納路とは、平行に配置することができ、通路は、その両端に開口を有している。平面パネルは、通路とパネル収納路とを循環移動し、前記通路を移動時には、前記通路を非連通状態とする。各平面パネルは、前記通路と前記パネル収容路とを平行スライド移動し、前記通路と前記パネル収納路との端部において一方から他方に横スライド移動して、スクエア状に循環移動する。例えば建物内部にある通路の端部からパネル収容路の端部への横スライドは、建物外部にあるパネル収容路の端部から通路の端部への横スライドよりも高速に行うことが望ましい。
【０００７】
このように構成された出入り口装置では、平面パネルは、通路の端部からパネル収納部の端部に移動する際、或いはパネル収納部の端部から通路の端部に移動する場合、横スライド移動するので、通行者にとってなじみのあるスライド式ドアと同様に移動する。従って、通行者の安全性を確保することができる。しかも、平面パネルは通路を移動中には、通路を非連通状態としているので、平面パネルによって風除効果が発揮されている。
【０００８】
更に、前記パネル収納路を前記ブース内外を連絡する別通路として使用することもできる。この場合、この通路端に開閉自在なドアが設置される。このように構成すると、パネル収納路のドアを開くことによって、パネル収納路を、火災等の非常の脱出通路として利用することができるし、或いは荷物の搬入、搬出時の通路としても使用することが可能である。
【０００９】
更に、前記通路から上記パネル収納路へ連絡する開口を設けることもできる。この場合、この開口にドアが設けられる。このように構成すると、例えばパネル収納路へ通路から通行者が移動することが可能であるので、例えば火災等が発生したときに、通路内にいる通行者がパネル収納路に移動できる。従って、非常時に通行者が通路に閉じこめられることを防止できる。
【００１０】
平面パネルを、前記通路及び前記パネル収納路内に向かってスイング自在に構成することもできる。このように構成すると、平面パネルをスイングさせることによって、火災等の非常時や、荷物の搬入、搬出時に、通路とパネル収納路との双方を利用することができ、円滑な脱出及び荷物の搬出入を行うことができる。しかも、スイングは、前記通路及び前記パネル収納路内に向かって行われるので、即ちブースの外側に平面パネルがスイングしないので、平面パネルがブースの外側での通行者の通行等を妨げることもない。
【発明の効果】
【００１１】
以上のように、本発明による出入り口装置によれば、回転ドアと同様に風除効果を維持することができる上に、通行者の安全性を向上させることができる。
【発明を実施するための最良の形態】
【００１２】
本発明の第１の実施形態の出入口装置では、図１に示すように、建物２の前面に形成された開口４に、ブース６が取り付けられている。このブース６は、内部が空洞とされた概略直方体状のもので、長手側の側壁６ａ、６ｂの中途が開口４に位置している。このブース６の両端部は、建物２の内外それぞれに位置し、開口されている。このブース６の内部における両端部のほぼ中央間に跨って仕切り壁８が設けられている。この仕切り壁８は、ブース６の側壁６ａ、６ｂに平行で、ブース６内を通路１０とパネル収容通路１２とに区画している。即ち、通路１０とパネル収容路１２とは、互いに平行に並設されている。
【００１３】
通路１０の建物２外の端部開口１０ａから通路１０内に入った通行者は、この通路１０を通路１０の建物２内の端部開口１０ｂに向かって移動することによって建物２内に入ることができる。
【００１４】
ブース６内には、複数、例えば２枚の平面パネル１４ａ、１４ｂが配置されている。これら平面パネル１４ａ、１４ｂは、通路１０内に位置するときには、その端部開口１０ａ、１０ｂ間を非連通状態とするように、すなわち遮蔽するように、側壁６ｂと仕切り壁８とに跨って位置している。同様に、パネル収容路１２内に位置するときも、その端部開口１２ａ、１２ｂを非連通状態とするように、側壁６ａと仕切り壁８とに跨って位置している。なお、平面パネル１４ａ、１４ｂの高さ寸法は、通路１０、パネル収容路１２の高さ寸法とほぼ等しい寸法である。
【００１５】
これら平面パネル１４ａ、１４ｂは、通路１０内では端部開口１０ａ、１０ｂを遮蔽した状態を維持しながら端部開口１０ａ側から端部開口１０ｂ側にスライド移動し、パネル収容路１２内では端部開口１２ａ、１２ｂを遮蔽した状態を維持しながら建物２内側の端部開口１２ａ側から建物２外側の端部開口１２ｂ側にスライド移動する。これら平面パネル１４ａ、１４ｂは、例えば通路１０の端部開口１０ｂに到達すると、入口通路１２の端部開口１２ａに向かって横スライドする。このスライドは、端部開口１０ｂを平面パネル１４ａ、１４ｂによって閉じていた状態から、これを開きつつ、パネル収容通路１２の端部開口１２ａを閉じるように行われる。平面パネル１４ａ、１４ｂがパネル収容路１２の端部開口１２ｂから通路１０の端部開口１０ａに向かって横スライドする場合も同様に移動する。
【００１６】
また、パネル通路１２の端部開口１２ａ、１２ｂは図示しない壁体によって閉じられ、それらには、それぞれパネル収容路１２に人が出入り可能なドア１６ａ、１６ｂが取り付けられている。また、仕切壁８には、通路１０とパネル収容路１２との間を人が出入り可能なドア１８が設けられている。
【００１７】
これら平面パネル１４ａ、１４ｂは、例えばブース６の上部に設けた図示していない駆動機構によって駆動される。平面パネル１４ａ、１４ｂは、通路１０を移動するときは、中速Ｖｍで移動し、通路１０の開口端部１０ｂからパネル収容路１０の端部１２ａに横スライドするとき及びパネル収容路１２をスライドするとき、それぞれ高速Ｖｈで移動し、パネル収容路１２の端部１２ｂから通路１０の端部１０ａに横スライドするとき、低速Ｖｌで移動する。Ｖｈ＞Ｖｍ＞Ｖｌである。
【００１８】
例えば図１（ａ）に示すように、平面パネル１４ａが通路１０の開口１０ａに位置し、平面パネル１４ｂが通路１０の開口１０ｂに位置すると仮定する。この状態から単位時間ｔ後には、図１（ｂ）にそれぞれ示すように平面パネル１４ａは、ｔＶｍだけ端部開口１０ｂ側に移動し、平面パネル１４ｂはｔＶｈだけ端部開口１２ａ側に移動する。
【００１９】
この時点から更に単位時間ｔ後には図１（ｃ）に示すように、平面パネル１４ａは、端部開口１０ａから２ｔＶｍだけ端部開口１０ｂ側に移動し、平面パネル１４ｂは、端部開口１０ｂから端部開口１２ａ側に２ｔＶｈだけ移動し、完全に端部開口１２ａを閉じている。従って、端部開口１０ｂを完全に閉じた状態から端部開口１２ａを完全に閉じた状態までの平面パネル１４ｂの移動距離は２ｔＶｍである。即ち、ドアパネル１０ｂが端部開口１０ｂを完全に開くのに要する時間は２ｔで、端部開口１０ｂが開くまで多くの時間に渡って通行者が待機することはない。
【００２０】
この時点から更に単位時間ｔ後には図１（ｄ）に示すように、平面パネル１４ａは、端部開口１２ａから３ｔＶｍだけ端部開口１０ｂ側に移動する。同時に、平面パネル１４ｂは、端部開口１０ａから端部開口１０ｂ側にｔＶｈだけ移動している。この時点から更に単位時間ｔ後には、図１（ｅ）に示すように、平面パネル１４ａは、端部開口１２ａから４ｔＶｍだけ端部開口１０ｂ側に移動する。同時に平面パネル１４ｂは、端部開口１２ａから端部開口１２ｂ側に２ｔＶｈだけ移動する。
【００２１】
この時点から更に単位時間ｔ後には、図１（ｆ）に示すように、平面パネル１４ａは、端部開口１０ａから５ｔＶｍだけ端部開口１０ｂ側に移動する。平面パネル１４ｂは、端部開口１２ａから端部開口１２ｂ側に３ｔＶｈだけ移動する。
【００２２】
この時点から単位時間ｔ後には、図２（ａ）に示すように、平面パネル１４ａは端部開口１０ａから端部開口１０ｂ側に６ｔＶｍだけ移動する。同時に平面パネル１４ｂは、端部開口１２ａから端部開口１２ｂ側に４ｔＶｈだけ移動し、端部開口１２ｂを完全に閉じている。即ち、平面パネル１４ｂは、パネル収容路１２を時間５ｔで移動する。
【００２３】
この時点から単位時間ｔ後には、図２（ｂ）に示すように、平面パネル１４ａは端部開口１０ａから７ｔＶｍだけ端部開口１０ｂ側に移動する。平面パネル１４ｂは端部開口１２ｂから端部開口１０ａ側にｔＶｌだけ移動する。
【００２４】
この時点から単位時間ｔ後には、図２（ｃ）に示すように平面パネル１４ａは、８ｔＶｍだけ端部開口１０ａから端部開口１０ｂ側に移動し、平面パネル１４ｂは、端部開口１２ｂから端部開口１０ａ側に２ｔＶｌだけ移動している。
【００２５】
この時点から単位時間ｔ後には、図２（ｄ）に示すように、平面パネル１４ａは、９ｔＶｍだけ端部開口１０ａから端部開口１０ｂ側に移動し、平面パネル１４ｂは、端部開口１２ｂから端部開口１０ａ側に３ｔＶｌだけ移動している。
【００２６】
この時点から単位時間ｔ後には、図２（ｅ）に示すように、平面パネル１４ａは、１０ｔＶｍだけ端部開口１０ａから端部開口１０ｂ側に移動する。平面パネル１４ｂは、端部開口１２ｂから端部開口１０ａ側に４ｔＶｌだけ移動している。
【００２７】
この時点から単位時間ｔ後には、図２（ｆ）に示すように、平面パネル１４ａは、１１ｔＶｍだけ端部開口１０ａから端部開口１０ｂ側に移動する。平面パネル１４ｂは、端部開口１２ｂから端部開口１０ａ側に５ｔＶｌだけ移動している。
【００２８】
この時点から単位時間ｔ後には、図３（ａ）に示すように、平面パネル１４ａは、１２ｔＶｍだけ端部開口１０ａから端部開口１０ｂ側に移動する。平面パネル１４ｂは、端部開口１２ｂから端部開口１０ａ側に６ｔＶｌだけ移動している。
【００２９】
この時点から単位時間ｔ後には、図３（ｂ）に示すように、平面パネル１４ａは、１３ｔＶｍだけ端部開口１０ａから端部開口１０ｂ側に移動し、端部開口１０ｂを完全に閉じる。平面パネル１４ｂは、端部開口１２ｂから端部開口１０ａ側に７ｔＶｌだけ移動し、端部開口１０ａを完全に閉じる。端部開口１０ａが完全に開いている状態から完全に閉じるまでには時間７ｔを要しているので、通行者が横スライドしているドアパネル１４ｂに接触することはない。
【００３０】
以下、上述したパネル１４ａと同じ動作をパネル１４ｂが行い、上述したパネル１４ｂと同じ動作をパネル１４ａが行い、図１（ａ）に示す状態に戻り、上述した動作を繰り返す。
【００３１】
このように平面パネル１４ａ、１４ｂが移動しているとき、通路１０には平面パネル１４ａ、１４ｂのいずれかが必ず位置して風除効果を維持する。しかも、図１（ｂ）、（ｃ）に示すように例えばドアパネル１４ｂが端部開口１０ｂから端部開口１２ａに横スライドしている間、ドアパネル１４ａが通路１０に位置して、端部開口１０ａ、１０ｂ間を非連通状態としているので、ドアパネルが横スライドしているときも、風除効果が維持されている。しかも、各平面パネル１４a、１４ｂは端部開口１０ｂを開くように横スライドするときには高速で、端部開口１０ａを閉じるように横スライドするときには低速で移動するので、通行者がドアパネル１４ａ、１４ｂに接触する可能性が少なく、安全性が高い。しかも、各平面パネル１４ａ、１４ｂは、スクエア状に循環移動するので、通行者は各平面パネルと衝突することが無いように出入りすることができる。
【００３２】
また、パネル収容路１２の両端部１２ａ、１２ｂにドア１６ａ、１６ｂを設けてあるので、火災等の非常時や、建物２内への荷物の搬入、搬出時に、パネル収容路１２を通路として使用することができ、速やかに通行することができる。また、仕切壁８にドア１８を設けてあるので、例えば火災等の非常時に、通路１０内に閉じこめられた人がドア１８を開いて、パネル収容路１２に移動し、このパネル収容路１２から直ちに避難することができる。
【００３３】
また、図４に示すように平面パネル１４ａ、１４ｂは、駆動されていないとき、通路１０及びパネル収容路１２内の任意の位置で、仕切壁８側に折り畳み可能に構成されている。このように構成されているので、例えば火災等の発生で、平面パネル１４ａ、１４ｂが停止しても、平面パネル１４ａ、１４ｂを折り畳むことによって、通路１０のいずれの位置に通行者がいても、ドア１８の位置に到達することができ、速やかに避難することができる。なお、側壁６ａ、６ｂ側に平面パネル１４ａ、１４ｂを折り畳むこともできる。
【００３４】
本発明の第２の実施形態の出入口装置は、図５（ａ）乃至（ｆ）に示すように、３枚の平面パネル１４ａ乃至１４ｃを使用する以外、第１の実施形態と同様に構成されている。同一部分には、同一符号を付して、その説明を省略する。これら平面パネル１４ａ乃至１４ｃは端部開口１２ｂから端部開口１０ａに横スライドするとき以外、高速ｖｈで移動し、端部開口１２ｂから端部開口１０ａに横スライドするとき、低速ｖｌで移動する。
【００３５】
例えば図５（ａ）に示すように、平面パネル１４ａが通路１０の開口１０ａに位置し、平面パネル１４ｂが通路１０の端部開口１０ｂに位置し、平面パネル１４ｃがパネル収容路１２のほぼ中央に位置すると仮定する。
【００３６】
この状態から単位時間ｔ後には、図５（ｂ）に示すように平面パネル１４ａは、ｔｖｈだけ端部開口１０ｂ側に移動し、平面パネル１４ｂはｔｖｈだけ端部開口１２ａ側に移動し、平面パネル１４ｃはｔｖｈだけ端部開口１２ｂ側に移動している。
【００３７】
この時点から更に単位時間ｔ後には図５（ｃ）に示すように、平面パネル１４ａは、端部開口１０ａから２ｔｖｈだけ端部開口１０ｂ側に移動し、平面パネル１４ｂは、端部開口１０ｂから端部開口１２ａ側に２ｔｖｈだけ移動し、完全に端部開口１０ｂを開いている。従って、端部開口１０ｂを完全に閉じた状態から端部開口１０ｂを完全に開いた状態までの平面パネル１４ｂの移動距離は２ｔｖで、所要時間は２ｔと短時間であり、通路１０の端部開口１０ｂから通行者は速やかに建物２内に入ることができる。なお、平面パネル１４ｃは出口通路１０のほぼ中央から２ｔｖだけ端部開口１２ｂ側に移動している。
【００３８】
この時点から更に単位時間ｔ後には図５（ｄ）に示すように、平面パネル１４ａは、端部開口１０ａから３ｔｖｈだけ端部開口１０ｂ側に移動し、平面パネル１４ｂは端部開口１２ａで待機し、平面パネル１４ｃは、パネル収容路１２のほぼ中央から３ｔｖｈだけ端部開口１２ｂ側に移動している。
【００３９】
この時点から更に所定時間ｔ後には図５（ｅ）に示すように、平面パネル１４ａは、端部開口１０ａから４ｔｖｈだけ端部開口１０ｂ側に移動している。平面パネル１４ｂは、端部開口１２ａで待機状態を継続する。平面パネル１４ｃは、パネル収容路１２のほぼ中央から４ｔｖｈだけ端部開口１２ｂ側に移動している。
【００４０】
この時点から更に単位時間ｔ後には、図５（ｆ）に示すように、平面パネル１４ａは、端部開口１０ａから５ｔｖｈだけ端部開口１０ｂ側に移動している。平面パネル１４ｂは、端部開口１２ａでの待機状態を維持する。平面パネル１４ｃは、端部開口１２ａから端部開口１２ｂ側に５ｔｖｈだけ移動している。
【００４１】
この時点から更に単位時間ｔ後には、図６（ａ）に示すように、平面パネル１４ａは、端部開口１０ａから６ｔｖｈだけ端部開口１０ｂ側に移動し、平面パネル１４ｂは、端部開口１２ａで待機し、平面パネル１４ｃは、端部開口１２ａから端部開口１２ｂ側に７ｔｖｈだけ移動し、端部開口１２ｂに到達する。
【００４２】
この時点から単位時間ｔ後には、図６（ｂ）に示すように、平面パネル１４ａは端部開口１０ａから端部開口１０ｂ側に７ｔｖｈだけ移動する。同時に平面パネル１４ｂは、端部開口１２ａから端部開口１２ｂ側にｔｖｈだけ移動し、平面パネル１４ｃは、端部開口１２ｂから端部開口１０ａ側にｔｖｌだけ移動している。
【００４３】
この時点から単位時間ｔ後には、図６（ｃ）に示すように、平面パネル１４ａは端部開口１０ａから８ｔｖｈだけ端部開口１０ｂ側に移動し、平面パネル１４ｂは端部開口１２ａから端部開口１２ｂ側に２ｔｖｈだけ移動し、平面パネル１４ｃは、端部開口１２ｂから端部開口１０ａ側に２ｔｖｌだけ移動している。
【００４４】
この時点から単位時間ｔ後には、図６（ｄ）に示すように平面パネル１４ａは、端部開口１０ａから９ｔｖｈだけ端部開口１０ｂ側に移動し、平面パネル１４ｂは、端部開口１２ａから端部開口１２ｂ側に３ｔｖｈだけ移動し、平面パネル１４ｃは、端部開口１２ｂから端部開口１０ａ側に３ｔｖｌだけ移動している。
【００４５】
この時点から単位時間ｔ後には、図６（ｅ）に示すように、平面パネル１４ａは、端部開口１０ａから１０ｔｖｈだけ端部開口１０ｂ側に移動し、平面パネル１４ｂは、端部開口１２ａから端部開口１２ｂ側に４ｔｖｈだけ移動し、平面パネル１４ｃは、端部開口１２ｂから端部開口１０ａ側に４ｔｖｌだけ移動している。
【００４６】
この時点から単位時間ｔ後には、図６（ｆ）に示すように、平面パネル１４ａは、端部開口１０ａから１１ｔｖｈだけ端部開口１０ｂ側に移動し、平面パネル１４ｂは、端部開口１２ａから端部開口１２ｂ側に５ｔｖｈだけ移動し、平面パネル１４ｃは、端部開口１２ｂから端部開口１０ａ側に５ｔｖｌだけ移動している。
【００４７】
この時点から単位時間ｔ後には、図７（ａ）に示すように、平面パネル１４ａは、端部開口１０ａから１２ｔｖｈだけ端部開口１０ｂ側に移動し、平面パネル１４ｂは、端部開口１２ａから端部開口１２ｂ側に６ｔｖｈだけ移動し、平面パネル１４ｃは、端部開口１２ｂから端部開口１０ａ側に６ｔｖｌだけ移動している。
【００４８】
この時点から単位時間ｔ後には、図７（ｂ）に示すように、平面パネル１４ａは、端部開口１０ａから１３ｔｖｈだけ端部開口１０ｂ側に移動し、端部開口１０ｂを完全に閉じ、平面パネル１４ｂは、端部開口１２ａから端部開口１２ｂ側に６ｔｖｈだけ移動し、図４（ａ）に示した平面パネル１４ｃの位置に移動し、平面パネル１４ｃは、端部開口１２ｂから端部開口１０ａ側に７ｔｖｌだけ移動して、端部開口１０ａを完全に閉じている。即ち、端部開口１０ａから端部開口１０ｂまでの距離は１３ｔｖｈであり、端部開口１２ａからパネル収容路１２のほぼ中央（図４（ａ）に示した平面パネル１４ｃの位置）までの距離は、６ｔｖｈである。また、端部開口１０ａを平面パネル１４ｃが完全に開いている状態から完全に閉じるまでの時間は７ｔであり、非常にゆっくりと端部開口１０ａは閉じられている。従って、ドアパネル１４ｃが端部開口１０ａを閉じる際に、ドアパネル１４ｃに通行者が衝突することを避けることができる。
【００４９】
以下、平面パネル１４ａは、図５（ａ）乃至図７（ｂ）に示した平面パネル１４ｂと同様にパネル収容路１０のほぼ中央に移動し、平面パネル１４ｂは、図５（ａ）乃至図７（ｂ）に示した平面パネル１４ｃと同様に端部開口１０ａに移動する。平面パネル１４ｃは、図５（ａ）乃至図７（ｂ）に示した平面パネル１４ａと同様に端部開口１０ｂに移動する。次に、平面パネル１４ａは図５（ａ）乃至図７（ｂ）に示した平面パネル１４ｃと同様に端部開口１０ａに移動し、平面パネル１４ｂは図５（ａ）乃至図７（ｂ）に示した平面パネル１４ａと同様に端部開口１０ｂに移動し、平面パネル１４ｃは図５（ａ）乃至図７（ｂ）に示した平面パネル１４ｂと同様にパネル収容路１２のほぼ中央に位置する。即ち、図５（ａ）の状態に復帰する。以下、上述した動作を繰り返す。
【００５０】
このように平面パネル１４ａ乃至１４ｃが移動しているとき、通路１０には平面パネル１４ａ乃至１４ｃのうち１枚が必ず位置して風除効果を維持し、しかも、平面パネル１４ａ乃至１４ｃのいずれかが端部開口１０ｂを開きつつあるときには、通路１０には別の平面パネルが存在し、風除効果を維持している。更に各平面パネル１４a乃至１４ｃは端部開口１０ｂから端部開口１２ａに、及び端部開口１２ｂから端部開口１０ａに、横スライドしてスクエア状に循環移動するので、通行者は各平面パネルと衝突することが無いように出入りすることができる。しかも、各平面パネル１４a乃至１４ｃは端部開口１０ｂを開くように横スライドするときには高速で、端部開口１０ａを閉じるように横スライドするときには低速で移動するので、通行者がドアパネル１４ａ乃至１４ｃに接触する可能性が少なく、安全性が高い。
【００５１】
なお、第２の実施形態においても、平面パネル１４ａ乃至１４ｃを図４に示したのと同様に通路１０及びパネル収容路１２内に折り畳むこともできる。
【００５２】
上記の両実施形態では、建物２内に通行者が入る場合の出入り口装置を示したが、建物２から通行者が出る場合の出入り口装置とすることもできる。その場合、上記の両実施形態の出入り口装置を１８０度回転させて、端部開口１０ａ、１２ｂが建物２内に、端部開口１０ｂ、１２ａが建物２の外部に位置するように配置すればよい。
【００５３】
上記の両実施形態では、２枚または３枚の平面パネルを使用したが、これに限ったものではなく、２枚以上であれば、更に多くの平面パネルを使用することもできる。
【図面の簡単な説明】
【００５４】
【図１】本発明の第１の実施形態の出入口装置の初期状態から５ｔ時間後までの平面パネルの位置を示す平面図である。
【図２】図１の出入口装置の初期状態から６ｔ時間及び１１ｔ時間後の平面パネルの位置を示す平面図である。
【図３】図１の出入口装置の初期状態から１２ｔ時間及び１３ｔ時間後の平面パネルの位置を示す平面図である。
【図４】図１の出入口装置の平面パネルが折り畳み可能であることを説明する平面図である。
【図５】本発明の第２の実施形態の出入口装置の５ｔ時間後までの平面パネルの位置を示す平面図である。
【図６】図５の出入口装置の初期状態から６ｔ時間及び１１ｔ時間後の平面パネルの位置を示す平面図である。
【図７】図５の出入口装置の初期状態から１２ｔ時間及び１３ｔ時間後の平面パネルの位置を示す平面図である。
【符号の説明】
【００５５】
２  建物
６  ブース
１０  通路
１２  パネル収容路
１４ａ乃至１４ｃ  平面パネル
【図１】
2007332621.tif 000003
【図２】
2007332621.tif 000004
【図３】
2007332621.tif 000005
【図４】
2007332621.tif 000006
【図５】
2007332621.tif 000007
【図６】
2007332621.tif 000008
【図７】
2007332621.tif 000009